(57)【要約】【課題】早送りや早戻しが行われている状態より、ユーザに不自然さを感じさせずに、所望位置からの通常再生を実現する情報記録媒体再生装置を提供する。【解決手段】ステップＳ１２４では、制御部１５は、ステップＳ１２０で読み出されたカウンタ値から、ステップＳ１０８で設定された方向に、ステップＳ１１６で読み出された「シフト時間」だけ離れた位置を、再生開始位置として設定する。ステップＳ１３６では、制御部１５は、再生処理部１２を制御して、ステップＳ１２４で設定した再生開始位置まで、記憶部１４に記憶されている「直近のサーチ速度」でサーチする。ステップＳ１４４では、制御部１５は、再生処理部１２を制御して、ステップＳ１２４で設定した再生開始位置から、通常再生を開始する。【選択図】図４
2008004188.tif 000002
【特許請求の範囲】
【請求項１】
情報記録媒体に書き込まれているデータを読み出し、通常再生及び該通常再生より速い速度での再生を行う再生手段と、各種動作を指示するためにユーザによって操作される操作手段と、ユーザが前記操作手段を操作して指示した内容に基づいて前記再生手段を制御する制御手段とを備えた情報記録媒体再生装置であって、
前記制御手段は、
通常再生より速い速度での再生（第１の再生）が行われている時に、ユーザによって前記操作手段が操作されて通常再生が指示されると、前記第１の再生を停止し、前記第１の再生の方向と反対の方向に予め定められたシフト時間だけ離れた位置まで予め定められた速度で再生した後、通常再生を行うよう前記再生手段を制御することを特徴とする情報記録媒体再生装置。
【請求項２】
情報記録媒体に書き込まれているデータを読み出し、通常再生及び該通常再生より速い速度での再生を行う再生手段と、各種動作を指示するためにユーザによって操作される操作手段と、ユーザが前記操作手段を操作して指示した内容に基づいて前記再生手段を制御する制御手段とを備えた情報記録媒体再生装置であって、
前記制御手段は、
通常再生より速い速度での再生（第１の再生）が行われている時に、ユーザによって前記操作手段が操作されて通常再生が指示されると、前記第１の再生を停止し、前記第１の再生の方向と反対の方向に予め定められたシフト時間だけ離れた位置から通常再生を行うよう前記再生手段を制御するとともに、
前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置から通常再生を行うよう前記再生手段を制御し、ユーザによって前記操作手段が操作されて早送りが指示された場合は、前記通常再生の方向と同一の方向に予め定められたシフト時間だけ離れた位置から通常再生を行うよう前記再生手段を制御することを特徴とする情報記録媒体再生装置。
【請求項３】
情報記録媒体に書き込まれているデータを読み出し、通常再生及び該通常再生より速い速度での再生を行う再生手段と、各種動作を指示するためにユーザによって操作される操作手段と、ユーザが前記操作手段を操作して指示した内容に基づいて前記再生手段を制御する制御手段とを備えた情報記録媒体再生装置であって、
前記制御手段は、
通常再生より速い速度での再生（第１の再生）が行われている時に、ユーザによって前記操作手段が操作されて通常再生が指示されると、前記第１の再生を停止し、前記第１の再生の方向と反対の方向に予め定められたシフト時間だけ離れた位置まで予め定められた速度で再生した後、通常再生を行うよう前記再生手段を制御するとともに、
前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置まで予め定められた速度で再生した後、通常再生を行うよう前記再生手段を制御し、ユーザによって前記操作手段が操作されて早送りが指示された場合は、前記通常再生の方向と同一の方向に予め定められたシフト時間だけ離れた位置まで予め定められた速度で再生した後、通常再生を行うよう前記再生手段を制御することを特徴とする情報記録媒体再生装置。
【請求項４】
情報記録媒体に書き込まれているデータを読み出し、通常再生、該通常再生より速い速度での再生及びリピート再生を行う再生手段と、各種動作を指示するためにユーザによって操作される操作手段と、リピート再生の開始点及び終了点を記憶する記憶手段と、ユーザが前記操作手段を操作して指示した内容に基づいて前記再生手段を制御し、また、前記記憶手段を制御してデータの書き込みと読み出しを行う制御手段とを備えた情報記録媒体再生装置であって、
前記制御手段は、
通常再生より速い速度での再生（第１の再生）が行われている時に、ユーザによって前記操作手段が操作されてリピート再生の開始点又は終了点の設定が指示されると、前記第１の再生を停止し、前記第１の再生の方向と反対の方向に予め定められたシフト時間だけ離れた位置から通常再生を行うよう前記再生手段を制御するとともに、
前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置から通常再生を行うよう前記再生手段を制御し、ユーザによって前記操作手段が操作されて早送りが指示された場合は、前記通常再生の方向と同一の方向に予め定められたシフト時間だけ離れた位置から通常再生を行うよう前記再生手段を制御し、
更に、前記第１の再生の停止後、ユーザによって前記操作手段が操作されて確定が指示された時に、リピート再生の開始点が前記記憶手段に書き込まれていない場合は、確定が指示された時点における再生位置をリピート再生の開始点として前記記憶手段に書き込むよう前記記憶手段を制御し、リピート再生の開始点が前記記憶手段に書き込まれている場合は、確定が指示された時点における再生位置をリピート再生の終了点として前記記憶手段に書き込むよう前記記憶手段を制御することを特徴とする情報記録媒体再生装置。
【請求項５】
情報記録媒体に書き込まれているデータを読み出し、通常再生、該通常再生より速い速度での再生及びリピート再生を行う再生手段と、各種動作を指示するためにユーザによって操作される操作手段と、リピート再生の開始点及び終了点を記憶する記憶手段と、ユーザが前記操作手段を操作して指示した内容に基づいて前記再生手段を制御し、また、前記記憶手段を制御してデータの書き込みと読み出しを行う制御手段とを備えた情報記録媒体再生装置であって、
前記制御手段は、
通常再生より速い速度での再生（第１の再生）が行われている時に、ユーザによって前記操作手段が操作されてリピート再生の開始点又は終了点の設定が指示されると、前記第１の再生を停止し、前記第１の再生の方向と反対の方向に予め定められたシフト時間だけ離れた位置まで予め定められた速度で再生した後、通常再生を行うよう前記再生手段を制御するとともに、
前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置まで予め定められた速度で再生した後、通常再生を行うよう前記再生手段を制御し、ユーザによって前記操作手段が操作されて早送りが指示された場合は、前記通常再生の方向と同一の方向に予め定められたシフト時間だけ離れた位置まで予め定められた速度で再生した後、通常再生を行うよう前記再生手段を制御し、
更に、前記第１の再生の停止後、ユーザによって前記操作手段が操作されて確定が指示された時に、リピート再生の開始点が前記記憶手段に書き込まれていない場合は、確定が指示された時点の再生位置をリピート再生の開始点として前記記憶手段に書き込むよう前記記憶手段を制御し、リピート再生の開始点が前記記憶手段に書き込まれている場合は、確定が指示された時点の再生位置をリピート再生の終了点として前記記憶手段に書き込むよう前記記憶手段を制御することを特徴とする情報記録媒体再生装置。
【請求項６】
前記予め定められた速度は、直近に行われた、通常再生より速い速度での再生、の速度よりも遅い速度であることを特徴とする請求項１、３、５の何れか１項に記載の情報記録媒体再生装置。
【請求項７】
前記予め定められた速度は、通常再生の速度であることを特徴とする請求項１、３、５の何れか１項に記載の情報記録媒体再生装置。
【発明の詳細な説明】
【技術分野】
【０００１】
本発明は、情報を記録した媒体を再生する装置に関し、詳しくは、ＤＶＤのようなディスク媒体やメモリーカードのような半導体を用いた記録媒体等の情報記録媒体に記録された映像データを読み出し、再生する装置に関する。
【背景技術】
【０００２】
近年、ＤＶＤのようなディスク媒体や、メモリーカードのような情報記憶媒体が普及している。これらの情報記録媒体は、記録容量が大きいことから、映画、演劇等の長時間の映像の記録が可能となっている。このような長時間の映像を視聴する際、高速で再生する早送りや、高速で逆再生する早戻しを行い、視聴したい箇所を探すことが多い。
【０００３】
最近の再生装置には、この早送りや早戻しの速度を変更できるものがある。例えば、通常再生（１倍速再生とも言われる）を行っている時に、早送りボタンを押下すると、通常の２倍の速度で再生し、更に早送りボタンを押下すると、通常の８倍の速度で再生し、更に早送りボタンを押下すると、通常の５０倍の速度で再生し、更に早送りボタンを押下すると、通常の１００倍の速度で再生するものがある。なお、通常再生よりも速い速度での再生は、サーチやサーチ再生とも言われる。
【０００４】
しかし、視聴したい箇所に到達し、通常再生を行うために通常再生を行うボタン操作を行ったとしても、ボタン操作までの時間だけ早送りや早戻しが行き過ぎてしまうため、視聴したい箇所に戻る操作を更に行わなければならなかった。特に、５０倍や１００倍といった高速での早送りや早戻しの場合、視聴を開始したい箇所を通り過ぎてしまうことが多く、所望の箇所まで戻る操作が大変煩わしく、また、その操作性が悪いという問題があった。
【０００５】
特許文献１は、早送りや早戻しから通常再生に移行する際に、ユーザが操作することなく、自動で、予め決められた時間だけ戻った位置から通常再生を行う技術を開示している。具体的には、例えば、通常の２倍の速度で再生していた場合は１秒だけ、通常の１００倍の速度で再生していた場合は５０秒だけ戻った位置から通常再生を行う。この技術を用いると、ユーザが視聴したいシーンの最初の位置に到達するまでの操作を簡略化することができる。
【０００６】
図１４は、この技術を適用した再生装置の動作例を示す図である。５０倍速での再生中（Ｗ９１０）に、再生ボタンが押下される（Ｃ９１０）と、その位置から２５秒だけ戻った位置から再生が開始される。
【０００７】
また、多くの再生装置は、ユーザが設定した区間の映像を繰り返して再生する「リピート再生」という機能を有している。リピート再生を開始したい位置で「リピートＡ」ボタンを押下し、リピート再生を終了したい位置で「リピートＢ」ボタンを押下することで、リピートする区間が設定され、この区間の再生が繰り返される。機種によっては、「リピートＡ／Ｂ」ボタンという１つのボタンで、この区間を設定するものもある。この場合、最初に「リピートＡ／Ｂ」ボタンを押した位置が開始点となり、次に「リピートＡ／Ｂ」ボタンを押した位置が終了点となる。長時間の映像が記憶された情報記録媒体でリピート再生を行う場合、早送りや早戻しを頻繁に行って、所望のリピート再生の開始点及び終了点を探すことが多い。
【０００８】
【特許文献１】特開２００１−１４３４４８号公報
【発明の開示】
【発明が解決しようとする課題】
【０００９】
所で、特許文献１の技術では、早送りや早戻しの状態から通常再生に移行する操作を行った時点を基準に予め決められた時間だけ戻った位置からいきなり再生が始まるため、映像が飛び、ユーザが映像の流れを把握しにくく、更にユーザが不自然さを感じるという問題があった。また、特許文献１の技術による再生によって所望の位置が見つからなかった場合、早送りボタン、早戻しボタン、再生ボタンを頻繁に押下して所望の位置を探し出すことになるため、操作性が悪く、大変煩わしいという問題があった。
【００１０】
本発明は、上述の問題点に鑑みてなされたものであり、早送りや早戻しが行われている状態より、ユーザに不自然さを感じさせずに、所望位置からの通常再生を実現する情報記録媒体再生装置を提供することを目的とする。また、早送りや早戻しを繰り返して所望の位置を探し出す場合であっても、ボタンの押下回数が少なく、操作性の良い情報記録媒体再生装置を提供することを目的とする。
【課題を解決するための手段】
【００１１】
請求項１に記載の情報記録媒体再生装置は、情報記録媒体に書き込まれているデータを読み出し、通常再生及び該通常再生より速い速度での再生を行う再生手段と、各種動作を指示するためにユーザによって操作される操作手段と、ユーザが前記操作手段を操作して指示した内容に基づいて前記再生手段を制御する制御手段とを備えた情報記録媒体再生装置であって、前記制御手段は、通常再生より速い速度での再生（第１の再生）が行われている時に、ユーザによって前記操作手段が操作されて通常再生が指示されると、前記第１の再生を停止し、前記第１の再生の方向と反対の方向に予め定められたシフト時間だけ離れた位置まで予め定められた速度で再生した後、通常再生を行うよう前記再生手段を制御することを特徴とする。
【００１２】
請求項１に記載の情報記録媒体再生装置によれば、通常再生より速い速度での再生が行われている状態より通常再生状態に移行する際に、予め定めた速度での再生を途中に入れることで、再生映像を連続させることができる。
【００１３】
請求項２に記載の情報記録媒体再生装置は、情報記録媒体に書き込まれているデータを読み出し、通常再生及び該通常再生より速い速度での再生を行う再生手段と、各種動作を指示するためにユーザによって操作される操作手段と、ユーザが前記操作手段を操作して指示した内容に基づいて前記再生手段を制御する制御手段とを備えた情報記録媒体再生装置であって、前記制御手段は、通常再生より速い速度での再生（第１の再生）が行われている時に、ユーザによって前記操作手段が操作されて通常再生が指示されると、前記第１の再生を停止し、前記第１の再生の方向と反対の方向に予め定められたシフト時間だけ離れた位置から通常再生を行うよう前記再生手段を制御するとともに、前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置から通常再生を行うよう前記再生手段を制御し、ユーザによって前記操作手段が操作されて早送りが指示された場合は、前記通常再生の方向と同一の方向に予め定められたシフト時間だけ離れた位置から通常再生を行うよう前記再生手段を制御することを特徴とする。
【００１４】
請求項２に記載の情報記録媒体再生装置によれば、タイマ設定時間以内ならば、早送りボタン又は早戻しボタンを１回押下するだけで、予め定められたシフト時間だけ離れた位置からの通常再生が行われる。
【００１５】
請求項３に記載の情報記録媒体再生装置は、情報記録媒体に書き込まれているデータを読み出し、通常再生及び該通常再生より速い速度での再生を行う再生手段と、各種動作を指示するためにユーザによって操作される操作手段と、ユーザが前記操作手段を操作して指示した内容に基づいて前記再生手段を制御する制御手段とを備えた情報記録媒体再生装置であって、前記制御手段は、通常再生より速い速度での再生（第１の再生）が行われている時に、ユーザによって前記操作手段が操作されて通常再生が指示されると、前記第１の再生を停止し、前記第１の再生の方向と反対の方向に予め定められたシフト時間だけ離れた位置まで予め定められた速度で再生した後、通常再生を行うよう前記再生手段を制御するとともに、前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置まで予め定められた速度で再生した後、通常再生を行うよう前記再生手段を制御し、ユーザによって前記操作手段が操作されて早送りが指示された場合は、前記通常再生の方向と同一の方向に予め定められたシフト時間だけ離れた位置まで予め定められた速度で再生した後、通常再生を行うよう前記再生手段を制御することを特徴とする。
【００１６】
請求項３に記載の情報記録媒体再生装置によれば、タイマ設定時間以内ならば、早送りボタン又は早戻しボタンを１回押下するだけで、予め定められたシフト時間だけ離れた位置まで、予め定めた速度での再生を行った後、通常再生を行うことができる。このため、再生映像を連続させることができる。
【００１７】
請求項４に記載の情報記録媒体再生装置は、情報記録媒体に書き込まれているデータを読み出し、通常再生、該通常再生より速い速度での再生及びリピート再生を行う再生手段と、各種動作を指示するためにユーザによって操作される操作手段と、リピート再生の開始点及び終了点を記憶する記憶手段と、ユーザが前記操作手段を操作して指示した内容に基づいて前記再生手段を制御し、また、前記記憶手段を制御してデータの書き込みと読み出しを行う制御手段とを備えた情報記録媒体再生装置であって、前記制御手段は、通常再生より速い速度での再生（第１の再生）が行われている時に、ユーザによって前記操作手段が操作されてリピート再生の開始点又は終了点の設定が指示されると、前記第１の再生を停止し、前記第１の再生の方向と反対の方向に予め定められたシフト時間だけ離れた位置から通常再生を行うよう前記再生手段を制御するとともに、前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置から通常再生を行うよう前記再生手段を制御し、ユーザによって前記操作手段が操作されて早送りが指示された場合は、前記通常再生の方向と同一の方向に予め定められたシフト時間だけ離れた位置から通常再生を行うよう前記再生手段を制御し、更に、前記第１の再生の停止後、ユーザによって前記操作手段が操作されて確定が指示された時に、リピート再生の開始点が前記記憶手段に書き込まれていない場合は、確定が指示された時点における再生位置をリピート再生の開始点として前記記憶手段に書き込むよう前記記憶手段を制御し、リピート再生の開始点が前記記憶手段に書き込まれている場合は、確定が指示された時点における再生位置をリピート再生の終了点として前記記憶手段に書き込むよう前記記憶手段を制御することを特徴とする。
【００１８】
請求項４に記載の情報記録媒体再生装置によれば、リピート再生の開始点と終了点の設定時において、タイマ設定時間以内ならば、早送りボタン又は早戻しボタンを１回押下するだけで、予め定められたシフト時間だけ離れた位置からの通常再生が行われる。
【００１９】
請求項５に記載の情報記録媒体再生装置は、情報記録媒体に書き込まれているデータを読み出し、通常再生、該通常再生より速い速度での再生及びリピート再生を行う再生手段と、各種動作を指示するためにユーザによって操作される操作手段と、リピート再生の開始点及び終了点を記憶する記憶手段と、ユーザが前記操作手段を操作して指示した内容に基づいて前記再生手段を制御し、また、前記記憶手段を制御してデータの書き込みと読み出しを行う制御手段とを備えた情報記録媒体再生装置であって、前記制御手段は、通常再生より速い速度での再生（第１の再生）が行われている時に、ユーザによって前記操作手段が操作されてリピート再生の開始点又は終了点の設定が指示されると、前記第１の再生を停止し、前記第１の再生の方向と反対の方向に予め定められたシフト時間だけ離れた位置まで予め定められた速度で再生した後、通常再生を行うよう前記再生手段を制御するとともに、前記第１の再生の停止後、通常再生が開始されており、且つ、該通常再生の開始から予め定められたタイマ設定時間が経過していない時に、ユーザによって前記操作手段が操作されて早戻しが指示された場合は、前記通常再生の方向と反対の方向に予め定められたシフト時間だけ離れた位置まで予め定められた速度で再生した後、通常再生を行うよう前記再生手段を制御し、ユーザによって前記操作手段が操作されて早送りが指示された場合は、前記通常再生の方向と同一の方向に予め定められたシフト時間だけ離れた位置まで予め定められた速度で再生した後、通常再生を行うよう前記再生手段を制御し、更に、前記第１の再生の停止後、ユーザによって前記操作手段が操作されて確定が指示された時に、リピート再生の開始点が前記記憶手段に書き込まれていない場合は、確定が指示された時点の再生位置をリピート再生の開始点として前記記憶手段に書き込むよう前記記憶手段を制御し、リピート再生の開始点が前記記憶手段に書き込まれている場合は、確定が指示された時点の再生位置をリピート再生の終了点として前記記憶手段に書き込むよう前記記憶手段を制御することを特徴とする。
【００２０】
請求項５に記載の情報記録媒体再生装置によれば、リピート再生の開始点と終了点の設定時において、タイマ設定時間以内ならば、早送りボタン又は早戻しボタンを１回押下するだけで、予め定められたシフト時間だけ離れた位置まで、予め定めた速度での再生を行った後、通常再生を行うことができる。このため、再生映像を連続させることができる。
【００２１】
請求項６に記載の情報記録媒体再生装置は、請求項１、３、５の何れか１項において、前記予め定められた速度は、直近に行われた、通常再生より速い速度での再生、の速度よりも遅い速度であることを特徴とする。
【００２２】
請求項６に記載の情報記録媒体再生装置によれば、通常再生より速い速度での再生が行われている状態より通常再生状態に移行する際に、直近のサーチの速度よりも遅い速度での再生を途中に入れることで、再生映像を連続させることができる。また、直近のサーチ速度よりも遅い速度にすることで、ユーザがサーチ速度や再生位置を把握し易くなり、また、所望の位置の絞り込みが容易になる。
【００２３】
請求項７に記載の情報記録媒体再生装置は、請求項１、３、５の何れか１項において、前記予め定められた速度は、通常再生の速度であることを特徴とする。
【００２４】
請求項７に記載の情報記録媒体再生装置によれば、通常再生より速い速度での再生が行われている状態より通常再生状態に移行する際に、通常再生と同じ速度での再生を途中に入れることで、再生映像を連続させることができる。また、通常再生と同じ速度にすることで、ユーザがサーチ速度や再生位置を把握し易くなり、また、所望の位置の絞り込みが容易になる。
【発明の効果】
【００２５】
本発明によれば、早送りや早戻しが行われている状態より通常再生状態に移行する際に、再生映像が連続しているため、ユーザに不自然さを感じさせずに、所望位置からの通常再生を実現する情報記録媒体再生装置を提供することができる。また、早送りや早戻しを繰り返して所望の位置を探し出す場合であっても、ボタンの押下回数が少なく、操作性の良い情報記録媒体再生装置を提供することができる。
【発明を実施するための最良の形態】
【００２６】
本発明の実施の形態を、図面を参照して説明する。なお、以下の実施例は本発明の具体例に過ぎず、本発明が以下の実施形態に限定されるものではない。
【実施例１】
【００２７】
図１は、本実施例の情報記録媒体再生装置の構成を示すブロック図である。情報記録媒体再生装置１は、ディスクドライブ１１、再生処理部１２、外部出力部１３、記憶部１４、制御部１５、キー判別部１６、操作部１７、受光部１８を備える。
【００２８】
ディスクドライブ１１は、ディスク媒体３に書き込まれたデータを読み出す。再生処理部１２は、ディスクドライブ１１で読み出されたデータから、映像信号と音声信号を生成する。外部出力部１３は、再生処理部１２で生成された映像信号と音声信号を、外部に出力する。記憶部１４は、サーチ速度毎の「シフト時間」（後述）を記憶する。操作部１７は、ユーザが各種動作を指示するための、情報記録媒体再生装置１自体に設けられた操作ボタンを備える。受光部１８は、リモコン２から送信された制御信号を受信する。キー判別部１６は、操作部１７と受光部１８から、ユーザの各種動作指示を受信し、判別する。制御部１５は、再生処理部１２、外部出力部１３、記憶部１４、キー判別部１６を制御する。
【００２９】
図２は、情報記録媒体再生装置の各種動作を遠隔指示するリモコン２を示す図である。リピートＡボタン２１が押下されると、リピート再生の開始点の設定が指示される。リピートＢボタン２２が押下されると、リピート再生の終了点の設定が指示される。ＥＮＴＥＲボタン２３が押下されると、設定の確定が指示される。再生ボタン２４が押下されると、通常再生が指示される。早戻しボタン２５が押下されると、早戻しが指示される。早送りボタン２６が押下されると、早送りが指示される。
【００３０】
図３は、サーチ速度毎のシフト時間を記載した表を示す図である。左側の列は、サーチ速度を示す。早送りボタン又は早戻しボタンを押下する度に、サーチの速度が上がる。右側の列は、サーチ速度毎のシフト時間を示す。これは、左側の列のサーチ速度で早送り又は早戻しを行っている時に、再生ボタンが押下された場合にシフトする時間である。
【００３１】
記憶部１４は、図３の表、直近に行われたサーチの速度、直近に行われたサーチの方向、現時点での再生位置（カウンタ値）を記憶する。サーチ速度は、図３の表の左側の列の何れかの値を取る。サーチ方向は、通常再生の方向と同一の場合は「送り」、通常再生の方向と反対の場合は「戻し」である。カウンタ値は、ディスク媒体３に記憶された動画の先頭を０として、そこからの時間である。例えば、先頭から５分１２秒後の位置のカウンタ値は、「５分１２秒」となる。カウンタ値は、通常再生中及びサーチ中、常に更新される。
【００３２】
本実施例においては、ディスクドライブ１１、再生処理部１２により、通常再生及び該通常再生より速い速度での再生（サーチ）を行う再生手段が実現される。また、ユーザがリモコン２を使用して各種動作を遠隔指示し、この指示を受光部１８が受信し、キー判別部１６が判別することで、操作手段が実現される。また、情報記録媒体再生装置１の各部を制御部１５が制御し、各部が動作することで、制御手段が実現される。
【００３３】
図４は、本実施例における処理を示すフローチャートである。サーチが開始されると、そのサーチの速度及び方向が、記憶部１４の「直近のサーチ速度」及び「直近のサーチ方向」を記憶する場所に記憶された後、このフローチャートが開始される。なお、このフローチャートの処理の流れは、制御部１５によって制御される。
【００３４】
ステップＳ１０４では、制御部１５は、再生ボタン２４が押下されたか否かを判断し、押下された場合は、ステップＳ１０８に進み、そうでない場合は、ステップＳ１０４に進む。
【００３５】
ステップＳ１０８では、制御部１５は、記憶部１４に記憶されている「直近のサーチ方向」を変更する。即ち、記憶部１４に記憶されている「直近のサーチ方向」が「送り」であった場合は「戻し」に設定し、「戻し」であった場合は「送り」に設定する。この設定の後、ステップＳ１１２に進む。
【００３６】
ステップＳ１１２では、制御部１５は、記憶部１４に記憶されている「直近のサーチ速度」を読み出す。続くステップＳ１１６では、制御部１５は、記憶部１４に記憶された図３の表から、ステップＳ１１２で読み出された「直近のサーチ速度」に対応するシフト時間を読み出した後、ステップＳ１２０に進む。
【００３７】
ステップＳ１２０では、制御部１５は、記憶部１４に記憶されている「カウンタ値」を読み出す。続くステップＳ１２４では、制御部１５は、ステップＳ１２０で読み出されたカウンタ値から、ステップＳ１０８で設定された方向に、ステップＳ１１６で読み出された「シフト時間」だけ離れた位置を、再生開始位置として設定し、ステップＳ１２８に進む。
【００３８】
ステップＳ１２８では、制御部１５は、ステップＳ１１２で読み出された「直近のサーチ速度」が、図３の表の左側の列のサーチ速度の最小値に等しいか否かを判断し、等しい場合は、ステップＳ１３６に進み、そうでない場合は、ステップＳ１３２に進む。
【００３９】
ステップＳ１３２では、制御部１５は、記憶部１４に記憶されている「直近のサーチ速度」を、図３の表の左側の列において、１つ遅い値にする。例えば、記憶部１４に記憶されている「直近のサーチ速度」、即ち、ステップＳ１１２で読み出された「直近のサーチ速度」が５０倍速であった場合は、記憶部１４の「直近のサーチ速度」の値を８倍速に変更する。そして、ステップＳ１３６に進む。
【００４０】
ステップＳ１３６では、制御部１５は、再生処理部１２を制御して、ステップＳ１２４で設定した再生開始位置まで、記憶部１４に記憶されている「直近のサーチ速度」でサーチし、ステップＳ１４４に進む。
【００４１】
ステップＳ１４４では、制御部１５は、再生処理部１２を制御して、ステップＳ１２４で設定した再生開始位置から、通常再生を開始し、「終了」に進む。
【００４２】
図７は、本実施例の動作を示す図である。同図左側が動画の先頭で、右側が動画の最後になる。ここで、ユーザは、Ｔ１以降の部分を視聴したいものとする。
【００４３】
通常再生時に、早送りボタン２６を３回押下すると、５０倍速の再生になる（Ｗ１１０）。この状態で、視聴を開始したい位置Ｔ１に到着すると、ユーザは、再生ボタン２４を押下しようとする。しかし、実際に再生ボタン２４が押下されるのは、視聴を開始したい位置Ｔ１を通過した後になる（Ｃ１１０）。
【００４４】
この実際に再生ボタン２４が押下された位置から、図３の表で５０倍速に対応するシフト時間である２５秒だけ戻った位置まで、５０倍速より１つ遅いサーチ速度である８倍速で逆再生して戻り（Ｗ１２０）、その後、通常再生が行われる（Ｗ１３０）。
【実施例２】
【００４５】
図１は、本実施例の情報記録媒体再生装置の構成を示すブロック図である。情報記録媒体再生装置１は、ディスクドライブ１１、再生処理部１２、外部出力部１３、記憶部１４、制御部１５、キー判別部１６、操作部１７、受光部１８を備える。
【００４６】
ディスクドライブ１１は、ディスク媒体３に書き込まれたデータを読み出す。再生処理部１２は、ディスクドライブ１１で読み出されたデータから、映像信号と音声信号を生成する。外部出力部１３は、再生処理部１２で生成された映像信号と音声信号を、外部に出力する。記憶部１４は、サーチ速度毎の「シフト時間」（後述）を記憶する。操作部１７は、ユーザが各種動作を指示するための、情報記録媒体再生装置１自体に設けられた操作ボタンを備える。受光部１８は、リモコン２から送信された制御信号を受信する。キー判別部１６は、操作部１７と受光部１８から、ユーザの各種動作指示を受信し、判別する。制御部１５は、再生処理部１２、外部出力部１３、記憶部１４、キー判別部１６を制御するとともに、タイマ機能を有する。
【００４７】
図２は、情報記録媒体再生装置の各種動作を遠隔指示するリモコン２を示す図である。リピートＡボタン２１が押下されると、リピート再生の開始点の設定が指示される。リピートＢボタン２２が押下されると、リピート再生の終了点の設定が指示される。ＥＮＴＥＲボタン２３が押下されると、設定の確定が指示される。再生ボタン２４が押下されると、通常再生が指示される。早戻しボタン２５が押下されると、早戻しが指示される。早送りボタン２６が押下されると、早送りが指示される。
【００４８】
図３は、サーチ速度毎のシフト時間を記載した表を示す図である。左側の列は、サーチ速度を示す。早送りボタン又は早戻しボタンを押下する度に、サーチの速度が上がる。右側の列は、サーチ速度毎のシフト時間を示す。これは、左側の列のサーチ速度で早送り又は早戻しを行っている時に、再生ボタンが押下された場合にシフトする時間である。
【００４９】
記憶部１４は、図３の表、直近に行われたサーチの速度、直近に行われたサーチの方向、現時点での再生位置（カウンタ値）、タイマ設定時間を記憶する。サーチ速度は、図３の表の左側の列の何れかの値を取る。サーチ方向は、通常再生の方向と同一の場合は「送り」、通常再生の方向と反対の場合は「戻し」である。カウンタ値は、ディスク媒体３に記憶された動画の先頭を０として、そこからの時間である。例えば、先頭から５分１２秒後の位置のカウンタ値は、「５分１２秒」となる。カウンタ値は、通常再生中及びサーチ中、常に更新される。タイマ設定値は、予め定められた値が記憶されている。
【００５０】
本実施例においては、ディスクドライブ１１、再生処理部１２により、通常再生及び該通常再生より速い速度での再生（サーチ）を行う再生手段が実現される。また、ユーザがリモコン２を使用して各種動作を遠隔指示し、この指示を受光部１８が受信し、キー判別部１６が判別することで、操作手段が実現される。また、情報記録媒体再生装置１の各部を制御部１５が制御し、各部が動作することで、制御手段が実現される。
【００５１】
図５は、本実施例における処理を示すフローチャートである。サーチが開始されると、そのサーチの速度及び方向が、記憶部１４の「直近のサーチ速度」及び「直近のサーチ方向」を記憶する場所に記憶された後、このフローチャートが開始される。なお、このフローチャートの処理の流れは、制御部１５によって制御される。
【００５２】
ステップＳ２０４では、制御部１５は、再生ボタン２４が押下されたか否かを判断し、押下された場合は、ステップＳ２０８に進み、そうでない場合は、ステップＳ２０４に進む。
【００５３】
ステップＳ２０８では、制御部１５は、記憶部１４に記憶されている「直近のサーチ方向」を変更する。即ち、記憶部１４に記憶されている「直近のサーチ方向」が「送り」であった場合は「戻し」に設定し、「戻し」であった場合は「送り」に設定する。この設定の後、ステップＳ２１２に進む。
【００５４】
ステップＳ２１２では、制御部１５は、記憶部１４に記憶されている「直近のサーチ速度」を読み出す。続くステップＳ２１６では、制御部１５は、記憶部１４に記憶された図３の表から、ステップＳ２１２で読み出された「直近のサーチ速度」に対応するシフト時間を読み出した後、ステップＳ２２０に進む。
【００５５】
ステップＳ２２０では、制御部１５は、記憶部１４に記憶されている「カウンタ値」を読み出す。続くステップＳ２２４では、制御部１５は、ステップＳ２２０で読み出されたカウンタ値から、記憶部１４に記憶されている「直近のサーチ方向」に、ステップＳ２１６で読み出された「シフト時間」だけ離れた位置を、再生開始位置として設定し、ステップＳ２２８に進む。
【００５６】
ステップＳ２２８では、制御部１５は、ステップＳ２１２で読み出された「直近のサーチ速度」が、図３の表の左側の列のサーチ速度の最小値に等しいか否かを判断し、等しい場合は、ステップＳ２４０に進み、そうでない場合は、ステップＳ２３２に進む。
【００５７】
ステップＳ２３２では、制御部１５は、記憶部１４に記憶されている「直近のサーチ速度」を、図３の表の左側の列において、１つ遅い値にする。例えば、記憶部１４に記憶されている「直近のサーチ速度」、即ち、ステップＳ２１２で読み出された「直近のサーチ速度」が５０倍速であった場合は、記憶部１４の「直近のサーチ速度」の値を８倍速に変更する。そして、ステップＳ２４０に進む。
【００５８】
ステップＳ２４０では、制御部１５は、タイマを開始し、ステップＳ２４４に進む。
【００５９】
ステップＳ２４４では、制御部１５は、再生処理部１２を制御して、ステップＳ２２４で設定した再生開始位置から、通常再生を開始し、ステップＳ２７６に進む。
【００６０】
ステップＳ２７６では、制御部１５は、タイマが記憶部１４に記憶されているタイマ設定時間を経過したか否かを判断し、経過した場合は、「終了」に進み、そうでない場合は、ステップＳ２８０に進む。
【００６１】
ステップＳ２８０では、制御部１５は、早送りボタン２６が押下されたか否かを判断し、押下された場合は、ステップＳ２８４に進み、そうでない場合は、ステップＳ２８８に進む。
【００６２】
ステップＳ２８８では、制御部１５は、早戻しボタン２６が押下されたか否かを判断し、押下された場合は、ステップＳ２９２に進み、そうでない場合は、ステップＳ２７６に進む。
【００６３】
ステップＳ２８４では、制御部１５は、記憶部１４の「直近のサーチ方向」を「送り」に設定し、ステップＳ２１２に進む。ステップＳ２９２では、制御部１５は、記憶部１４の「直近のサーチ方向」を「戻し」に設定し、ステップＳ２１２に進む。
【００６４】
図１０は、本実施例の動作を示す図である。同図左側が動画の先頭で、右側が動画の最後になる。ここで、ユーザは、Ｔ１以降の部分を視聴したいものとする。また、タイマ設定時間として、１０秒が設定されているものとする。
【００６５】
通常再生時に、早送りボタン２６を３回押下すると、５０倍速の再生になる（Ｗ２１０）。この状態で、視聴を開始したい位置Ｔ１に到着すると、ユーザは、再生ボタン２４を押下しようとする。しかし、実際に再生ボタン２４が押下されるのは、視聴を開始したい位置Ｔ１を通過した後になる（Ｃ２１０）。
【００６６】
この実際に再生ボタン２４が押下された位置を基準に、図３の表で５０倍速に対応するシフト時間である２５秒だけ戻った位置から、通常再生が行われる（Ｗ２３０）。
【００６７】
ここで、更に戻る必要がある場合、Ｗ２３０の通常再生開始から１０秒以内に、早戻しボタン２５を押下する（Ｃ２２０）と、この押下された位置を基準に、図３の表で５０倍速より１つ遅い速度である８倍速に対応するシフト時間である４秒だけ戻った位置から、通常再生が行われる（Ｗ２５０）。
【実施例３】
【００６８】
図１は、本実施例の情報記録媒体再生装置の構成を示すブロック図である。情報記録媒体再生装置１は、ディスクドライブ１１、再生処理部１２、外部出力部１３、記憶部１４、制御部１５、キー判別部１６、操作部１７、受光部１８を備える。
【００６９】
ディスクドライブ１１は、ディスク媒体３に書き込まれたデータを読み出す。再生処理部１２は、ディスクドライブ１１で読み出されたデータから、映像信号と音声信号を生成する。外部出力部１３は、再生処理部１２で生成された映像信号と音声信号を、外部に出力する。記憶部１４は、サーチ速度毎の「シフト時間」（後述）を記憶する。操作部１７は、ユーザが各種動作を指示するための、情報記録媒体再生装置１自体に設けられた操作ボタンを備える。受光部１８は、リモコン２から送信された制御信号を受信する。キー判別部１６は、操作部１７と受光部１８から、ユーザの各種動作指示を受信し、判別する。制御部１５は、再生処理部１２、外部出力部１３、記憶部１４、キー判別部１６を制御するとともに、タイマ機能を有する。
【００７０】
図２は、情報記録媒体再生装置の各種動作を遠隔指示するリモコン２を示す図である。リピートＡボタン２１が押下されると、リピート再生の開始点の設定が指示される。リピートＢボタン２２が押下されると、リピート再生の終了点の設定が指示される。ＥＮＴＥＲボタン２３が押下されると、設定の確定が指示される。再生ボタン２４が押下されると、通常再生が指示される。早戻しボタン２５が押下されると、早戻しが指示される。早送りボタン２６が押下されると、早送りが指示される。
【００７１】
図３は、サーチ速度毎のシフト時間を記載した表を示す図である。左側の列は、サーチ速度を示す。早送りボタン又は早戻しボタンを押下する度に、サーチの速度が上がる。右側の列は、サーチ速度毎のシフト時間を示す。これは、左側の列のサーチ速度で早送り又は早戻しを行っている時に、再生ボタンが押下された場合にシフトする時間である。
【００７２】
記憶部１４は、図３の表、直近に行われたサーチの速度、直近に行われたサーチの方向、現時点での再生位置（カウンタ値）、タイマ設定時間を記憶する。サーチ速度は、図３の表の左側の列の何れかの値を取る。サーチ方向は、通常再生の方向と同一の場合は「送り」、通常再生の方向と反対の場合は「戻し」である。カウンタ値は、ディスク媒体３に記憶された動画の先頭を０として、そこからの時間である。例えば、先頭から５分１２秒後の位置のカウンタ値は、「５分１２秒」となる。カウンタ値は、通常再生中及びサーチ中、常に更新される。タイマ設定値は、予め定められた値が記憶されている。
【００７３】
本実施例においては、ディスクドライブ１１、再生処理部１２により、通常再生及び該通常再生より速い速度での再生（サーチ）を行う再生手段が実現される。また、ユーザがリモコン２を使用して各種動作を遠隔指示し、この指示を受光部１８が受信し、キー判別部１６が判別することで、操作手段が実現される。また、情報記録媒体再生装置１の各部を制御部１５が制御し、各部が動作することで、制御手段が実現される。
【００７４】
図６は、本実施例における処理を示すフローチャートである。サーチが開始されると、そのサーチの速度及び方向が、記憶部１４の「直近のサーチ速度」及び「直近のサーチ方向」を記憶する場所に記憶された後、このフローチャートが開始される。なお、このフローチャートの処理の流れは、制御部１５によって制御される。
【００７５】
ステップＳ３０４では、制御部１５は、再生ボタン２４が押下されたか否かを判断し、押下された場合は、ステップＳ３０８に進み、そうでない場合は、ステップＳ３０４に進む。
【００７６】
ステップＳ３０８では、制御部１５は、記憶部１４に記憶されている「直近のサーチ方向」を変更する。即ち、記憶部１４に記憶されている「直近のサーチ方向」が「送り」であった場合は「戻し」に設定し、「戻し」であった場合は「送り」に設定する。この設定の後、ステップＳ３１２に進む。
【００７７】
ステップＳ３１２では、制御部１５は、記憶部１４に記憶されている「直近のサーチ速度」を読み出す。続くステップＳ３１６では、制御部１５は、記憶部１４に記憶された図３の表から、ステップＳ３１２で読み出された「直近のサーチ速度」に対応するシフト時間を読み出した後、ステップＳ３２０に進む。
【００７８】
ステップＳ３２０では、制御部１５は、記憶部１４に記憶されている「カウンタ値」を読み出す。続くステップＳ３２４では、制御部１５は、ステップＳ３２０で読み出されたカウンタ値から、記憶部１４に記憶されている「直近のサーチ方向」に、ステップＳ３１６で読み出された「シフト時間」だけ離れた位置を、再生開始位置として設定し、ステップＳ３２８に進む。
【００７９】
ステップＳ３２８では、制御部１５は、ステップＳ３１２で読み出された「直近のサーチ速度」が、図３の表の左側の列のサーチ速度の最小値に等しいか否かを判断し、等しい場合は、ステップＳ３３６に進み、そうでない場合は、ステップＳ３３２に進む。
【００８０】
ステップＳ３３２では、制御部１５は、記憶部１４に記憶されている「直近のサーチ速度」を、図３の表の左側の列において、１つ遅い値にする。例えば、記憶部１４に記憶されている「直近のサーチ速度」、即ち、ステップＳ３１２で読み出された「直近のサーチ速度」が５０倍速であった場合は、記憶部１４の「直近のサーチ速度」の値を８倍速に変更する。そして、ステップＳ３３６に進む。
【００８１】
ステップＳ３３６では、制御部１５は、再生処理部１２を制御して、ステップＳ３２４で設定した再生開始位置まで、記憶部１４に記憶されている「直近のサーチ速度」でサーチし、ステップＳ３４０に進む。
【００８２】
ステップＳ３４０では、制御部１５は、タイマを開始し、ステップＳ３４４に進む。
【００８３】
ステップＳ３４４では、制御部１５は、再生処理部１２を制御して、ステップＳ３２４で設定した再生開始位置から、通常再生を開始し、ステップＳ３７６に進む。
【００８４】
ステップＳ３７６では、制御部１５は、タイマが記憶部１４に記憶されているタイマ設定時間を経過したか否かを判断し、経過した場合は、「終了」に進み、そうでない場合は、ステップＳ３８０に進む。
【００８５】
ステップＳ３８０では、制御部１５は、早送りボタン２６が押下されたか否かを判断し、押下された場合は、ステップＳ３８４に進み、そうでない場合は、ステップＳ３８８に進む。
【００８６】
ステップＳ３８８では、制御部１５は、早戻しボタン２６が押下されたか否かを判断し、押下された場合は、ステップＳ３９２に進み、そうでない場合は、ステップＳ３７６に進む。
【００８７】
ステップＳ３８４では、制御部１５は、記憶部１４の「直近のサーチ方向」を「送り」に設定し、ステップＳ３１２に進む。ステップＳ３９２では、制御部１５は、記憶部１４の「直近のサーチ方向」を「戻し」に設定し、ステップＳ３１２に進む。
【００８８】
図１１は、本実施例の動作を示す図である。同図左側が動画の先頭で、右側が動画の最後になる。ここで、ユーザは、Ｔ１以降の部分を視聴したいものとする。また、タイマ設定時間として、１０秒が設定されているものとする。
【００８９】
通常再生時に、早送りボタン２６を３回押下すると、５０倍速の再生になる（Ｗ３１０）。この状態で、視聴を開始したい位置Ｔ１に到着すると、ユーザは、再生ボタン２４を押下しようとする。しかし、実際に再生ボタン２４が押下されるのは、視聴を開始したい位置Ｔ１を通過した後になる（Ｃ３１０）。
【００９０】
この実際に再生ボタン２４が押下された位置から、図３の表で５０倍速に対応するシフト時間である２５秒だけ戻った位置まで、５０倍速より１つ遅いサーチ速度である８倍速で逆再生して戻り（Ｗ３２０）、その後、通常再生が行われる（Ｗ３３０）。
【００９１】
ここで、更に戻る必要がある場合、Ｗ３３０の通常再生開始から１０秒以内に、早戻しボタン２５を押下する（Ｃ３２０）と、この位置から、図３の表で直近のサーチ速度である８倍速に対応するシフト時間である４秒だけ、直近のサーチ速度である８倍速より１つ遅いサーチ速度である２倍速で逆再生して戻り（Ｗ３４０）、その後、通常再生が行われる（Ｗ３５０）。
【実施例４】
【００９２】
図１は、本実施例の情報記録媒体再生装置の構成を示すブロック図である。情報記録媒体再生装置１は、ディスクドライブ１１、再生処理部１２、外部出力部１３、記憶部１４、制御部１５、キー判別部１６、操作部１７、受光部１８を備える。
【００９３】
ディスクドライブ１１は、ディスク媒体３に書き込まれたデータを読み出す。再生処理部１２は、ディスクドライブ１１で読み出されたデータから、映像信号と音声信号を生成する。外部出力部１３は、再生処理部１２で生成された映像信号と音声信号を、外部に出力する。記憶部１４は、サーチ速度毎の「シフト時間」（後述）を記憶する。操作部１７は、ユーザが各種動作を指示するための、情報記録媒体再生装置１自体に設けられた操作ボタンを備える。受光部１８は、リモコン２から送信された制御信号を受信する。キー判別部１６は、操作部１７と受光部１８から、ユーザの各種動作指示を受信し、判別する。制御部１５は、再生処理部１２、外部出力部１３、記憶部１４、キー判別部１６を制御するとともに、タイマ機能を有する。
【００９４】
図２は、情報記録媒体再生装置の各種動作を遠隔指示するリモコン２を示す図である。リピートＡボタン２１が押下されると、リピート再生の開始点の設定が指示される。リピートＢボタン２２が押下されると、リピート再生の終了点の設定が指示される。ＥＮＴＥＲボタン２３が押下されると、設定の確定が指示される。再生ボタン２４が押下されると、通常再生が指示される。早戻しボタン２５が押下されると、早戻しが指示される。早送りボタン２６が押下されると、早送りが指示される。
【００９５】
図３は、サーチ速度毎のシフト時間を記載した表を示す図である。左側の列は、サーチ速度を示す。早送りボタン又は早戻しボタンを押下する度に、サーチの速度が上がる。右側の列は、サーチ速度毎のシフト時間を示す。これは、左側の列のサーチ速度で早送り又は早戻しを行っている時に、再生ボタン、リピートＡボタン、又はリピートＢボタンが押下された場合にシフトする時間である。
【００９６】
記憶部１４は、図３の表、直近に行われたサーチの速度、直近に行われたサーチの方向、現時点での再生位置（カウンタ値）、タイマ設定時間、最初のサーチ速度、リピート再生の開始点及び終了点を記憶する。サーチ速度は、図３の表の左側の列の何れかの値を取る。サーチ方向は、通常再生の方向と同一の場合は「送り」、通常再生の方向と反対の場合は「戻し」である。カウンタ値は、ディスク媒体３に記憶された動画の先頭を０として、そこからの時間である。例えば、先頭から５分１２秒後の位置のカウンタ値は、「５分１２秒」となる。カウンタ値は、通常再生中及びサーチ中、常に更新される。タイマ設定値は、予め定められた値が記憶されている。
【００９７】
本実施例においては、ディスクドライブ１１、再生処理部１２により、通常再生、該通常再生より速い速度での再生（サーチ）及びリピート再生を行う再生手段が実現される。また、ユーザがリモコン２を使用して各種動作を遠隔指示し、この指示を受光部１８が受信し、キー判別部１６が判別することで、操作手段が実現される。また、情報記録媒体再生装置１の各部を制御部１５が制御し、各部が動作することで、制御手段が実現される。
【００９８】
図７は、本実施例における処理を示すフローチャートである。サーチが開始されると、そのサーチの速度及び方向が、記憶部１４の「直近のサーチ速度」及び「直近のサーチ方向」を記憶する場所に記憶され、更に、「最初のサーチ速度」を記憶する場所にも、このサーチの速度の値が書き込まれた後、このフローチャートが開始される。なお、このフローチャートの処理の流れは、制御部１５によって制御される。
【００９９】
ステップＳ４０４では、制御部１５は、リピートＡボタン２１又はリピートＢボタン２２が押下されたか否かを判断し、押下された場合は、ステップＳ４０８に進み、そうでない場合は、ステップＳ４０４に進む。
【０１００】
ステップＳ４０８では、制御部１５は、記憶部１４に記憶されている「直近のサーチ方向」を変更する。即ち、記憶部１４に記憶されている「直近のサーチ方向」が「送り」であった場合は「戻し」に設定し、「戻し」であった場合は「送り」に設定する。この設定の後、ステップＳ４１２に進む。
【０１０１】
ステップＳ４１２では、制御部１５は、記憶部１４に記憶されている「直近のサーチ速度」を読み出す。続くステップＳ４１６では、制御部１５は、記憶部１４に記憶された図３の表から、ステップＳ４１２で読み出された「直近のサーチ速度」に対応するシフト時間を読み出した後、ステップＳ４２０に進む。
【０１０２】
ステップＳ４２０では、制御部１５は、記憶部１４に記憶されている「カウンタ値」を読み出す。続くステップＳ４２４では、制御部１５は、ステップＳ４２０で読み出されたカウンタ値から、記憶部１４に記憶されている「直近のサーチ方向」に、ステップＳ４１６で読み出された「シフト時間」だけ離れた位置を、再生開始位置として設定し、ステップＳ４２８に進む。
【０１０３】
ステップＳ４２８では、制御部１５は、ステップＳ４１２で読み出された「直近のサーチ速度」が、図３の表の左側の列のサーチ速度の最小値に等しいか否かを判断し、等しい場合は、ステップＳ４４０に進み、そうでない場合は、ステップＳ４３２に進む。
【０１０４】
ステップＳ４３２では、制御部１５は、記憶部１４に記憶されている「直近のサーチ速度」を、図３の表の左側の列において、１つ遅い値にする。例えば、記憶部１４に記憶されている「直近のサーチ速度」、即ち、ステップＳ４１２で読み出された「直近のサーチ速度」が５０倍速であった場合は、記憶部１４の「直近のサーチ速度」の値を８倍速に変更する。そして、ステップＳ４４０に進む。
【０１０５】
ステップＳ４４０では、制御部１５は、タイマを開始し、ステップＳ４４４に進む。
【０１０６】
ステップＳ４４４では、制御部１５は、再生処理部１２を制御して、ステップＳ４２４で設定した再生開始位置から、通常再生を開始し、ステップＳ４４８に進む。
【０１０７】
ステップＳ４４８では、制御部１５は、ＥＮＴＥＲボタン２３が押下されたか否かを判断し、押下された場合は、ステップＳ４５２に進み、そうでない場合は、ステップＳ４７６に進む。
【０１０８】
ステップＳ４５２では、制御部１５は、記憶部１４に、リピート再生の開始点が記憶されているか否かを判断し、記憶されている場合は、ステップＳ４５６に進み、そうでない場合は、ステップＳ４６４に進む。
【０１０９】
ステップＳ４５６では、制御部１５は、記憶部１４の「リピート再生の終了点」を記憶する場所に、現在の再生位置を記憶する。続くステップＳ４６０では、制御部１５は、再生処理部１２を制御して、記憶部１４に記憶されたリピート再生の開始点と終了点の間のリピート再生を開始し、「終了」に進む。
【０１１０】
ステップＳ４６４では、制御部１５は、記憶部１４の「リピート再生の開始点」を記憶する場所に、現在の再生位置を記憶し、ステップＳ４６８に進む。
【０１１１】
ステップＳ４６８では、制御部１５は、記憶部１４の「直近のサーチ方向」を「送り」に設定する。続くステップＳ４７２では、制御部１５は、再生処理部１２を制御して、記憶部１４の「最初のサーチ速度」を記憶する場所に記憶された速度でのサーチを開始し、ステップＳ４０４に進む。
【０１１２】
ステップＳ４７６では、制御部１５は、タイマが記憶部１４に記憶されているタイマ設定時間を経過したか否かを判断し、経過した場合は、ステップＳ４４８に進み、そうでない場合は、ステップＳ４８０に進む。
【０１１３】
ステップＳ４８０では、制御部１５は、早送りボタン２６が押下されたか否かを判断し、押下された場合は、ステップＳ４８４に進み、そうでない場合は、ステップＳ４８８に進む。
【０１１４】
ステップＳ４８８では、制御部１５は、早戻しボタン２６が押下されたか否かを判断し、押下された場合は、ステップＳ４９２に進み、そうでない場合は、ステップＳ４４８に進む。
【０１１５】
ステップＳ４８４では、制御部１５は、記憶部１４の「直近のサーチ方向」を「送り」に設定し、ステップＳ４１２に進む。ステップＳ４９２では、制御部１５は、記憶部１４の「直近のサーチ方向」を「戻し」に設定し、ステップＳ４１２に進む。
【０１１６】
図１２は、本実施例の動作を示す図である。同図左側が動画の先頭で、右側が動画の最後になる。ここで、ユーザは、Ｔ１からＴ２の区間の動画をリピート再生したいものとする。また、タイマ設定時間として、１０秒が設定されているものとする。
【０１１７】
通常再生時に、早送りボタン２６を３回押下すると、５０倍速の再生になる（Ｗ４１０）。この状態で、リピート再生の開始点にしたい位置Ｔ１に到着すると、ユーザは、リピートＡボタン２１を押下しようとする。しかし、実際にリピートＡボタン２１が押下されるのは、リピート再生の開始点にしたい位置Ｔ１を通過した後になる（Ｃ４１０）。
【０１１８】
この実際にリピートＡボタン２１が押下された位置を基準に、図３の表で５０倍速に対応するシフト時間である２５秒だけ戻った位置から、通常再生が行われる（Ｗ４３０）。
【０１１９】
ここで、更に戻る必要がある場合、Ｗ４３０の通常再生開始から１０秒以内に、早戻しボタン２５を押下する（Ｃ４２０）と、この押下された位置を基準に、図３の表で５０倍速より１つ遅い速度である８倍速に対応するシフト時間である４秒だけ戻った位置から、通常再生が行われる（Ｗ４５０）。
【０１２０】
リピート再生の開始点にしたい位置Ｔ１に到着した時に、ＥＮＴＥＲボタン２３を押下し、リピート再生の開始点が設定される（Ｃ４３０）。そして、リピートＡボタン２１が押下された際のサーチ速度である５０倍速での再生が、自動的に始まる（Ｗ４６０）。
【０１２１】
この状態で、リピート再生の終了点にしたい位置Ｔ２に到着すると、ユーザは、リピートＢボタン２２を押下しようとする。しかし、実際にリピートＢボタン２２が押下されるのは、リピート再生の終了点にしたい位置Ｔ２を通過した後になる（Ｃ４４０）。
【０１２２】
この実際にリピートＢボタン２２が押下された位置を基準に、図３の表で５０倍速に対応するシフト時間である２５秒だけ戻った位置から、通常再生が行われる（Ｗ４８０）。
【０１２３】
リピート再生の終了点にしたい位置Ｔ２に到着した時に、ＥＮＴＥＲボタン２３を押下し、リピート再生の終了点が設定される（Ｃ４５０）。そして、リピート再生が始まる（Ｗ４９０）。
【実施例５】
【０１２４】
図１は、本実施例の情報記録媒体再生装置の構成を示すブロック図である。情報記録媒体再生装置１は、ディスクドライブ１１、再生処理部１２、外部出力部１３、記憶部１４、制御部１５、キー判別部１６、操作部１７、受光部１８を備える。
【０１２５】
ディスクドライブ１１は、ディスク媒体３に書き込まれたデータを読み出す。再生処理部１２は、ディスクドライブ１１で読み出されたデータから、映像信号と音声信号を生成する。外部出力部１３は、再生処理部１２で生成された映像信号と音声信号を、外部に出力する。記憶部１４は、サーチ速度毎の「シフト時間」（後述）を記憶する。操作部１７は、ユーザが各種動作を指示するための、情報記録媒体再生装置１自体に設けられた操作ボタンを備える。受光部１８は、リモコン２から送信された制御信号を受信する。キー判別部１６は、操作部１７と受光部１８から、ユーザの各種動作指示を受信し、判別する。制御部１５は、再生処理部１２、外部出力部１３、記憶部１４、キー判別部１６を制御するとともに、タイマ機能を有する。
【０１２６】
図２は、情報記録媒体再生装置の各種動作を遠隔指示するリモコン２を示す図である。リピートＡボタン２１が押下されると、リピート再生の開始点の設定が指示される。リピートＢボタン２２が押下されると、リピート再生の終了点の設定が指示される。ＥＮＴＥＲボタン２３が押下されると、設定の確定が指示される。再生ボタン２４が押下されると、通常再生が指示される。早戻しボタン２５が押下されると、早戻しが指示される。早送りボタン２６が押下されると、早送りが指示される。
【０１２７】
図３は、サーチ速度毎のシフト時間を記載した表を示す図である。左側の列は、サーチ速度を示す。早送りボタン又は早戻しボタンを押下する度に、サーチの速度が上がる。右側の列は、サーチ速度毎のシフト時間を示す。これは、左側の列のサーチ速度で早送り又は早戻しを行っている時に、再生ボタン、リピートＡボタン、又はリピートＢボタンが押下された場合にシフトする時間である。
【０１２８】
記憶部１４は、図３の表、直近に行われたサーチの速度、直近に行われたサーチの方向、現時点での再生位置（カウンタ値）、タイマ設定時間、最初のサーチ速度、リピート再生の開始点及び終了点を記憶する。サーチ速度は、図３の表の左側の列の何れかの値を取る。サーチ方向は、通常再生の方向と同一の場合は「送り」、通常再生の方向と反対の場合は「戻し」である。カウンタ値は、ディスク媒体３に記憶された動画の先頭を０として、そこからの時間である。例えば、先頭から５分１２秒後の位置のカウンタ値は、「５分１２秒」となる。カウンタ値は、通常再生中及びサーチ中、常に更新される。タイマ設定値は、予め定められた値が記憶されている。
【０１２９】
本実施例においては、ディスクドライブ１１、再生処理部１２により、通常再生、該通常再生より速い速度での再生（サーチ）及びリピート再生を行う再生手段が実現される。また、ユーザがリモコン２を使用して各種動作を遠隔指示し、この指示を受光部１８が受信し、キー判別部１６が判別することで、操作手段が実現される。また、情報記録媒体再生装置１の各部を制御部１５が制御し、各部が動作することで、制御手段が実現される。
【０１３０】
図８は、本実施例における処理を示すフローチャートである。サーチが開始されると、そのサーチの速度及び方向が、記憶部１４の「直近のサーチ速度」及び「直近のサーチ方向」を記憶する場所に記憶され、更に、「最初のサーチ速度」を記憶する場所にも、このサーチの速度の値が書き込まれた後、このフローチャートが開始される。なお、このフローチャートの処理の流れは、制御部１５によって制御される。
【０１３１】
ステップＳ５０４では、制御部１５は、リピートＡボタン２１又はリピートＢボタン２２が押下されたか否かを判断し、押下された場合は、ステップＳ５０８に進み、そうでない場合は、ステップＳ５０４に進む。
【０１３２】
ステップＳ５０８では、制御部１５は、記憶部１４に記憶されている「直近のサーチ方向」を変更する。即ち、記憶部１４に記憶されている「直近のサーチ方向」が「送り」であった場合は「戻し」に設定し、「戻し」であった場合は「送り」に設定する。この設定の後、ステップＳ５１２に進む。
【０１３３】
ステップＳ５１２では、制御部１５は、記憶部１４に記憶されている「直近のサーチ速度」を読み出す。続くステップＳ５１６では、制御部１５は、記憶部１４に記憶された図３の表から、ステップＳ５１２で読み出された「直近のサーチ速度」に対応するシフト時間を読み出した後、ステップＳ５２０に進む。
【０１３４】
ステップＳ５２０では、制御部１５は、記憶部１４に記憶されている「カウンタ値」を読み出す。続くステップＳ５２４では、制御部１５は、ステップＳ５２０で読み出されたカウンタ値から、記憶部１４に記憶されている「直近のサーチ方向」に、ステップＳ５１６で読み出された「シフト時間」だけ離れた位置を、再生開始位置として設定し、ステップＳ５２８に進む。
【０１３５】
ステップＳ５２８では、制御部１５は、ステップＳ５１２で読み出された「直近のサーチ速度」が、図３の表の左側の列のサーチ速度の最小値に等しいか否かを判断し、等しい場合は、ステップＳ５３６に進み、そうでない場合は、ステップＳ５３２に進む。
【０１３６】
ステップＳ５３２では、制御部１５は、記憶部１４に記憶されている「直近のサーチ速度」を、図３の表の左側の列において、１つ遅い値にする。例えば、記憶部１４に記憶されている「直近のサーチ速度」、即ち、ステップＳ５１２で読み出された「直近のサーチ速度」が５０倍速であった場合は、記憶部１４の「直近のサーチ速度」の値を８倍速に変更する。そして、ステップＳ５３６に進む。
【０１３７】
ステップＳ５３６では、制御部１５は、再生処理部１２を制御して、ステップＳ５２４で設定した再生開始位置まで、記憶部１４に記憶されている「直近のサーチ速度」でサーチし、ステップＳ５４０に進む。
【０１３８】
ステップＳ５４０では、制御部１５は、タイマを開始し、ステップＳ５４４に進む。
【０１３９】
ステップＳ５４４では、制御部１５は、再生処理部１２を制御して、ステップＳ５２４で設定した再生開始位置から、通常再生を開始し、ステップＳ５４８に進む。
【０１４０】
ステップＳ５４８では、制御部１５は、ＥＮＴＥＲボタン２３が押下されたか否かを判断し、押下された場合は、ステップＳ５５２に進み、そうでない場合は、ステップＳ５７６に進む。
【０１４１】
ステップＳ５５２では、制御部１５は、記憶部１４に、リピート再生の開始点が記憶されているか否かを判断し、記憶されている場合は、ステップＳ５５６に進み、そうでない場合は、ステップＳ５６４に進む。
【０１４２】
ステップＳ５５６では、制御部１５は、記憶部１４の「リピート再生の終了点」を記憶する場所に、現在の再生位置を記憶する。続くステップＳ５６０では、制御部１５は、再生処理部１２を制御して、記憶部１４に記憶されたリピート再生の開始点と終了点の間のリピート再生を開始し、「終了」に進む。
【０１４３】
ステップＳ５６４では、制御部１５は、記憶部１４の「リピート再生の開始点」を記憶する場所に、現在の再生位置を記憶し、ステップＳ５６８に進む。
【０１４４】
ステップＳ５６８では、制御部１５は、記憶部１４の「直近のサーチ方向」を「送り」に設定する。続くステップＳ５７２では、制御部１５は、再生処理部１２を制御して、記憶部１４の「最初のサーチ速度」を記憶する場所に記憶された速度でのサーチを開始し、ステップＳ５０４に進む。
【０１４５】
ステップＳ５７６では、制御部１５は、タイマが記憶部１４に記憶されているタイマ設定時間を経過したか否かを判断し、経過した場合は、ステップＳ５４８に進み、そうでない場合は、ステップＳ５８０に進む。
【０１４６】
ステップＳ５８０では、制御部１５は、早送りボタン２６が押下されたか否かを判断し、押下された場合は、ステップＳ５８４に進み、そうでない場合は、ステップＳ５８８に進む。
【０１４７】
ステップＳ５８８では、制御部１５は、早戻しボタン２６が押下されたか否かを判断し、押下された場合は、ステップＳ５９２に進み、そうでない場合は、ステップＳ５４８に進む。
【０１４８】
ステップＳ５８４では、制御部１５は、記憶部１４の「直近のサーチ方向」を「送り」に設定し、ステップＳ５１２に進む。ステップＳ５９２では、制御部１５は、記憶部１４の「直近のサーチ方向」を「戻し」に設定し、ステップＳ５１２に進む。
【０１４９】
図１３は、本実施例の動作を示す図である。同図左側が動画の先頭で、右側が動画の最後になる。ここで、ユーザは、Ｔ１からＴ２の区間の動画をリピート再生したいものとする。また、タイマ設定時間として、１０秒が設定されているものとする。
【０１５０】
通常再生時に、早送りボタン２６を３回押下すると、５０倍速の再生になる（Ｗ５１０）。この状態で、リピート再生の開始点にしたい位置Ｔ１に到着すると、ユーザは、リピートＡボタン２１を押下しようとする。しかし、実際にリピートＡボタン２１が押下されるのは、リピート再生の開始点にしたい位置Ｔ１を通過した後になる（Ｃ５１０）。
【０１５１】
この実際にリピートＡボタン２１が押下された位置から、図３の表で５０倍速に対応するシフト時間である２５秒だけ戻った位置まで、５０倍速より１つ遅いサーチ速度である８倍速で逆再生して戻り（Ｗ５２０）、その後、通常再生が行われる（Ｗ５３０）。
【０１５２】
ここで、更に戻る必要がある場合、Ｗ５３０の通常再生開始から１０秒以内に、早戻しボタン２５を押下する（Ｃ５２０）と、この位置から、図３の表で直近のサーチ速度である８倍速に対応するシフト時間である４秒だけ、直近のサーチ速度である８倍速より１つ遅いサーチ速度である２倍速で逆再生して戻り（Ｗ５４０）、その後、通常再生が行われる（Ｗ５５０）。
【０１５３】
リピート再生の開始点にしたい位置Ｔ１に到着した時に、ＥＮＴＥＲボタン２３を押下し、リピート再生の開始点が設定される（Ｃ５３０）。そして、リピートＡボタン２１が押下された際のサーチ速度である５０倍速での再生が、自動的に始まる（Ｗ５６０）。
【０１５４】
この状態で、リピート再生の終了点にしたい位置Ｔ２に到着すると、ユーザは、リピートＢボタン２２を押下しようとする。しかし、実際にリピートＢボタン２２が押下されるのは、リピート再生の終了点にしたい位置Ｔ２を通過した後になる（Ｃ５４０）。
【０１５５】
この実際にリピートＢボタン２２が押下された位置から、図３の表で５０倍速に対応するシフト時間である２５秒だけ戻った位置まで、５０倍速より１つ遅いサーチ速度である８倍速で逆再生して戻り（Ｗ５７０）、その後、通常再生が行われる（Ｗ５８０）。
【０１５６】
リピート再生の終了点にしたい位置Ｔ２に到着した時に、ＥＮＴＥＲボタン２３を押下し、リピート再生の終了点が設定される（Ｃ５５０）。そして、リピート再生が始まる（Ｗ５９０）。
【０１５７】
以上述べたように、本発明では、早送りや早戻しが行われている状態より通常再生状態に移行する際に、再生映像が連続しているため、ユーザに不自然さを感じさせずに、所望位置からの通常再生を実現する情報記録媒体再生装置を提供することができる。また、早送りや早戻しを繰り返して所望の位置を探し出す場合であっても、ボタンの押下回数が少なく、操作性の良い情報記録媒体再生装置を提供することができる。
【０１５８】
なお、上述の実施例４及び実施例５では、リピート再生の開始点と終了点を設定するために、リピートＡボタンとリピートＢボタンの２つのボタンを備えたリモコンを使用したが、１つのボタン（例えば、リピートＡ／Ｂボタン）によって実現することもできる。この場合、ステップＳ４０４及びステップＳ５０４では、制御部１５が、リピートＡ／Ｂボタンが押下されたか否かを判断する。
【０１５９】
また、上述の実施例１、実施例３及び実施例５では、直近のサーチ速度よりも１つ遅い速度で、サーチを行う処理（ステップＳ１３６、ステップＳ３３６及びステップＳ５３６）があるが、これ以外の速度で行うようにしても良い。例えば、通常再生と同じ速度（１倍速）にしても良い。
【図面の簡単な説明】
【０１６０】
【図１】本発明の各実施例の構成を示すブロック図である。
【図２】本発明の各実施例のリモコンを示す図である。
【図３】本発明の各実施例のサーチ速度とシフト時間の対応表を示す図である。
【図４】本発明の実施例１の処理を示すフローチャートである。
【図５】本発明の実施例２の処理を示すフローチャートである。
【図６】本発明の実施例３の処理を示すフローチャートである。
【図７】本発明の実施例４の処理を示すフローチャートである。
【図８】本発明の実施例５の処理を示すフローチャートである。
【図９】本発明の実施例１の動作を示す図である。
【図１０】本発明の実施例２の動作を示す図である。
【図１１】本発明の実施例３の動作を示す図である。
【図１２】本発明の実施例４の動作を示す図である。
【図１３】本発明の実施例５の動作を示す図である。
【図１４】従来の再生装置の動作を示す図である。
【符号の説明】
【０１６１】
１  情報記録媒体再生装置
２  リモコン
３  ディスク媒体
１１  ディスクドライブ
１２  再生処理部
１３  外部出力部
１４  記憶部
１５  制御部
１６  キー判別部
１７  操作部
１８  受光部
２１  リピートＡボタン
２２  リピートＢボタン
２３  ＥＮＴＥＲボタン
２４  再生ボタン
２５  早戻しボタン
２６  早送りボタン
【図１】
2008004188.tif 000003
【図２】
2008004188.tif 000004
【図３】
2008004188.tif 000005
【図４】
2008004188.tif 000006
【図５】
2008004188.tif 000007
【図６】
2008004188.tif 000008
【図７】
2008004188.tif 000009
【図８】
2008004188.tif 000010
【図９】
2008004188.tif 000011
【図１０】
2008004188.tif 000012
【図１１】
2008004188.tif 000013
【図１２】
2008004188.tif 000014
【図１３】
2008004188.tif 000015
【図１４】
2008004188.tif 000016